(57)【特許請求の範囲】
【請求項１】
開口部が対向し、円弧状のケーシングと、
ケーシング内で解錠位置と施錠位置との間を往復動自在に配設されるカンヌキと、
一端をケーシングの溝に設けられた突起と固定され他端をカンヌキと固定され、ケーシング内に配設されカンヌキを解錠位置へ付勢する付勢部材と、
ケーシング内のケーシング内周部の一部を円弧状に切り欠いた箇所に嵌合された円柱状の部材であって、ケーシング内周部のみに突設され、カンヌキ内周部と当接する箇所において曲面を有している突設部材と、
を具備することを特徴とする自転車用錠。
【発明の詳細な説明】
【技術分野】
【０００１】
本発明は、自転車等の被施錠体に装着される錠に関するものである。
【背景技術】
【０００２】
従来、円弧状のケーシング内部に、円弧状のカンヌキと、付勢バネを備えたサークル錠を、自転車等の被施錠体に付設することは広く知られている。
【０００３】
例えば、特許文献１では、円弧形の錠ケース内に、円弧状の閂杆と復元ばねを備えたサークル錠型の自転車用錠に係る発明が記載されている。
【０００４】
また、特許文献２では、円弧状に湾曲した中空のケースと、このケース内に収納され、ケースの両端を架橋する施錠位置と、ケースに収納される解錠位置との間でスライド可能なカンヌキと、ケース内に収納され解錠方向へカンヌキ付勢するコイルスプリング等とからなり、車輪のスポーク間にカンヌキをスライドさせることにより車輪を回転不能として施錠状態とする馬蹄錠に係る発明が記載されている。
【先行技術文献】
【特許文献】
【０００５】
【特許文献１】特開２００５−１５５２１３号公報
【特許文献２】特開２０１０−２８５８２７号公報
【発明の概要】
【発明が解決しようとする課題】
【０００６】
特許文献１又は特許文献２に示される型の錠は、解錠位置と施錠位置の間を円弧状のカンヌキが往復動するため、カンヌキの内周部とケーシング内周部とが摺接する。この摺接する面積は広いため、摺動による抵抗が大きく、カンヌキの往復動が滑らかでないという課題があった。
【０００７】
また、近年、ケーシングには、加工性に優れた亜鉛、アルミニウム等を含有する合金製の素材が使用されており、カンヌキには、鋼鉄製の素材が使用されている。このため、ケーシングは、カンヌキに比べて硬度が低く、長らく使用されると解錠と施錠が繰り返されることによりカンヌキによって削られ、カンヌキの内周部とケーシングの内周部との摩擦による抵抗が増加し、解錠又は施錠することが困難になるという欠点があった。
【０００８】
さらに、カンヌキによるケーシングの摩耗を防止するため、カンヌキの内周部とケーシング内周部との摺接する部分に潤滑油などを塗布することも試みられているが、解錠と施錠が繰り返されることにより、又は経時的に流れ落ちることにより、潤滑油が徐々に減少し、ついには無くなってしまうため、一定の効果はあるもののやはり徐々に解錠又は施錠することが困難になるという欠点があった。
【０００９】
そこで、本発明では、ケーシング内のケーシング内周部とカンヌキのカンヌキ内周部との摺動による摩擦を低減させることにより、長期に亘り解錠と施錠が繰り返されても滑らかに解錠と施錠を行うことができる自転車用錠を提供することを目的とする。
【課題を解決するための手段】
【００１０】
すなわち本発明は、開口部が対向し、円弧状のケーシングと、ケーシング内で解錠位置と施錠位置との間を往復動自在に配設されるカンヌキと、一端をケーシングの溝に設けられた突起と固定され他端をカンヌキと固定され、ケーシング内に配設されカンヌキを解錠位置へ付勢する付勢部材と、ケーシング内のケーシング内周部の一部を円弧状に切り欠いた箇所に嵌合された円柱状の部材であって、ケーシング内周部のみに突設され、カンヌキ内周部と当接する箇所において曲面を有している突設部材と、を具備することを特徴とする自転車用錠である。
【００１１】
そして、前記突設された突設部材又は突設部分が、ケーシング内周部に設けられ、曲面を有する部材であっても良い。
【００１２】
そして、前記突設された突設部材又は突設部分が、ケーシング内周部に形設される曲面を有する部分であっても良い。
【００１３】
そして、前記突設された突設部材又は突設部分が、カンヌキ内周部に形設される曲面を有する部分であっても良い。
【発明の効果】
【００１４】
本発明に係る開口部が対向し、円弧状のケーシングと、ケーシング内で解錠位置と施錠位置との間を往復動自在に配設されるカンヌキと、ケーシング内に配設されカンヌキを解錠位置へ付勢する付勢部材と、ケーシング内のケーシング内周部又はカンヌキのカンヌキ内周部の少なくとも一方に突設された突設部材又は突設部分と、を具備する自転車錠によれば、カンヌキが解錠位置と施錠位置との間を往復動してもケーシング内周部又はカンヌキ内周部の少なくとも一方が当接する面積が小さくて済むため摺接による抵抗を大きく低減することができることにより、長期に亘り解錠と施錠が繰り返されても滑らかに解錠と施錠を行うことができる。
【００１５】
そして、前記突設された突設部材又は突設部分が、ケーシング内周部に設けられ、曲面を有する部材であれば、カンヌキ内周部に当接する面積を小さくすることができることにより、また、当該部材としてカンヌキと同程度の硬度の素材を用いることで、摩耗を減少することができることにより、長期に亘り解錠と施錠が繰り返されても滑らかに解錠と施錠を行うことができる。
【００１６】
そして、前記突設された突設部材又は突設部分が、ケーシング内周部に形設される曲面を有する部分であれば、カンヌキ内周部に当接する面積を小さくすることができることにより、長期に亘り解錠と施錠が繰り返されても滑らかに解錠と施錠を行うことができる。また、ケーシングの金型の設計変更により別部材とするより安価に製作することができる。
【００１７】
そして、前記突設された突設部材又は突設部分が、カンヌキ内周部に形設される曲面を有する部分であれば、ケーシング内周部に当接する面積を小さくすることができることにより、長期に亘り解錠と施錠が繰り返されても滑らかに解錠と施錠を行うことができる。
【図面の簡単な説明】
【００１８】
【図１】第一実施例の裏面カバーを外した解錠状態の背面図
【図２】第一実施例の背面側から見た解錠状態の分解斜視図
【図３】第一実施例の解錠状態の正面図
【図４】第二実施例の裏面カバーを外した解錠状態の背面図
【図５】第二実施例の背面側から見た解錠状態の分解斜視図
【図６】第三実施例の裏面カバーを外した解錠状態の背面図
【図７】第三実施例の背面側から見た解錠状態の分解斜視図
【図８】第四実施例の裏面カバーを外した解錠状態の背面図
【図９】第四実施例の背面側から見た解錠状態の分解斜視図
【発明を実施するための形態】
【００１９】
以下、本発明に係る自転車用錠に関する実施形態について詳しく説明する。なお、以下に説明する実施形態は、本発明を実施するに好ましい具体例であるから、技術的に種々の限定がなされているが、本発明は、以下の説明において特に発明を限定する旨明記されていない限り、これらの形態に限定されるものではない。
【実施例】
【００２０】
（実施例１）
図１〜図３において、実施例１の裏面カバー（５）を外した背面図、分解斜視図、正面図を図示しており、実施例１は、自転車錠の筺体であるケーシング（１）と、ケーシング（１）に収納されるカンヌキ（２）と、カンヌキ（２）の付勢を行う付勢部材（３）と、ケーシング内周部（１２）に嵌合する突設部材（４ａ、４ｂ）と、裏面カバー（５）と、施錠解錠機構（７）と連動する係止片（６）などで、構成される。
【００２１】
ケーシング（１）は、自転車に固設される錠の筺体であり、開口部（１１）が対向して位置し、その内側にカンヌキ（２）と付勢部材（３）を保持しうる溝を有している円弧状の部材である。その溝の内側壁面がケーシング内周面（１２）であり、突設部材（４ａ、４ｂ）が取り付けられなければ、解錠施錠操作を行われることによりカンヌキ内周部（２１）と摺接することとなる。そして、ケーシング（１）には、施錠解錠機構（７）と施錠解錠機構（７）及び付勢バネ（図示しない）と連動する係止片（６）を内包する孔、また自転車と固定具により着脱することができるために、ケーシング内周面（１２）側に取付部を有している。また、図３に示すように、カンヌキレバー（２３）が回動しうるための円弧状の孔も設けられている。
【００２２】
カンヌキ（２）は、付勢部材（３）を介してケーシング（１）の溝に保持され、解錠位置からカンヌキレバー（２３）を回動することに連動して、カンヌキ内周部（２１）が突設部材（４ａ、４ｂ）と摺接しながらケーシング（１）の一の開口部（１１）から突出し、その開口部（１１）の間に位置する自転車の車輪内側のスポークと他のスポークとの隙間を通り、対向する開口部（１１）に侵入する円弧状の部材である。そして、カンヌキ切欠部（２２）が係止片突部（６１）と係止することにより、カンヌキ（２）は付勢部材（３）の復元力によって解錠位置に戻ることができず、施錠位置にて固定される。なお、図１にて、裏面カバー（５）を外した解錠状態の背面図を示しているが、カンヌキ（２）の施錠位置を二点破線にて示している。
【００２３】
また、カンヌキ内周部（２１）は、突設部材（４ａ、４ｂ）の外周部がケーシング内周部（１２）の面よりもカンヌキ（２）側に突き出るように設置されているために、ケーシング内周部（１２）とは摺接せず突設部材（４ａ、４ｂ）と摺接する。このため、カンヌキ内周部（２１）の摺接による摩擦が軽減され、長期の使用によっても解錠又は施錠がスムーズに行うことができる。
【００２４】
付勢部材（３）は、一端をケーシング（１）の溝に設けられた突起と嵌合し固定され、他端をカンヌキ（２）と係止され固定されている螺旋状に巻かれた金属製のバネである。付勢部材（３）は、カンヌキ（２）が解錠位置から施錠位置に摺動するに従ってその摺動する方向とは反対向きに復元力が働く。このため、施錠解錠機構（７）と連動する係止片突部（６１）がカンヌキ切欠部（２２）との係止が解除されると、伸長されている付勢部材（３）の復元力により、カンヌキ（２）が施錠位置から解錠位置に摺動する。なお、付勢部材（３）はバネに限定されるものではなく、ゴムであっても良い。
【００２５】
突設部材（４ａ、４ｂ）は、ケーシング内周部（１２）の一部を切り欠いた箇所に嵌合される円柱状の部材である。突設部材（４ａ、４ｂ）がケーシング内周部（１２）の一部を切り欠いた箇所に嵌合されると、突設部材（４ａ、４ｂ）の外周部がケーシング内周部（１２）の面よりもカンヌキ（２）側に突き出るように配置される。このため、カンヌキ内周部（２１）の摺接による摩擦が軽減され、長期の使用によっても解錠又は施錠がスムーズに行うことができる。また、突設部材（４ａ、４ｂ）は、ケーシング内周部（１２）に対して枢動可能に設けられているが、固設されていても良い。図１〜図２には、２個の突設部材（４ａ、４ｂ）が図示されているが、この個数に限定されるものではなく、１個又は２個よりも多い個数であっても良い。
【００２６】
また、突設部材（４ａ、４ｂ）の形状は、カンヌキ内周部（２１）の摺接による摩擦を低減するために、ケーシング内周部（１２）の面よりもカンヌキ（２）側に突き出る形状が好ましく、摩擦をさらに低減するために、少なくともカンヌキ内周部（２１）と当接する箇所において曲面を有していることがさらに好ましい。突設部材（４ａ、４ｂ）の材質は、特に限定されるものではないが、摩耗による摩擦の増加を防ぐために、カンヌキ（２）と同じ材質とすることがさらに好ましい。
【００２７】
裏面カバー（５）は、カンヌキ（２）及び付勢部材（３）をケーシング（１）に保持するために、ケーシング（１）に固定される部材である。ケーシング（１）の内部に設けられたボス部（１３）を裏面カバー（５）に穿孔されたボス部取付孔（５１）に貫通させ、ボス部取付孔（５１）より貫通したボス部（１３）を、金属工具などを用いてかしめることにより、裏面カバー（５）とケーシング（１）とを固定することができ容易に取り外すことができなくなる。
【００２８】
係止片（６）は、施錠解錠機構（７）に挿した鍵（９）の枢動と連動する略平板状の部材である。係止片（６）には、係止片（６）がケーシング（１）に収容されると、ケーシング（１）の溝の方向に突き出ることが可能な略平板状の係止片突部（６１）が延設されている。この係止片突部（６１）は、ケーシング（１）との間にケーシング（１）の溝の方向に復元力を有する弾性バネ（図示しない）と当接している。このため、カンヌキ（２）が解錠位置にあるとき、係止片突部（６１）はカンヌキ外周部（２４）に当接しており、他方、カンヌキ（２）が解錠位置から施錠位置に摺動すると係止片突部（６１）は、弾性バネ（図示しない）の復元力に従ってカンヌキ切欠部（２２）に係止する。図３には、解錠している状態を示している。そして、カンヌキ（２）が施錠位置にあるとき、挿されている鍵（９）を施錠解錠機構（７）に枢動すると、係止片突部（６１）が弾性バネ（図示しない）を圧縮しながらカンヌキ切欠部（２２）との係止が解除されるため、カンヌキ（２）は付勢部材（３）の復元力によって解錠位置に引き戻される。
【００２９】
（実施例２）
図４、図５において、実施例２の裏面カバー（５）を外した背面図、分解斜視図を図示しており、実施例２は、実施例１と同様な部材で構成される。実施例１と相違する主な箇所としては、カンヌキ内周部（２１）と当接する部材として、裏面カバー（５）と一体成型される突設部材（４ｃ、４ｄ）が設けられている点である。
【００３０】
裏面カバー（５）に設けられた突設部材（４ｃ、４ｄ）は、ケーシング内周部（１２）の一部を切り欠いた箇所に嵌合され、図５に示すように裏面カバー（５）からケーシング（１）の方向に突き出るように固設されている。また、突設部材（４ｃ、４ｄ）には、図４に示すようにケーシング（１）に組み合わせたとき、ケーシング内周部（１２）の面よりもカンヌキ（２）側に突き出るように曲面が設けられている。このため、カンヌキ内周部（２１）の摺接による摩擦が軽減され、長期の使用によっても解錠又は施錠がスムーズに行うことができる。また、実施例１と同様に、突設部材（４ｃ、４ｄ）は図５に示されている裏面カバー（５）の２個所に固設されることに限定されるものではなく、１箇所又は２個所よりも多く設けられても良い。
【００３１】
また、突設部材（４ｃ、４ｄ）の形状についても、実施例１と同様にカンヌキ内周部（２１）の摺接による摩擦を低減するために、ケーシング内周部（１２）の面よりもカンヌキ（２）側に突き出る形状が好ましく、摩擦をさらに低減するために、少なくともカンヌキ内周部（２１）と当接する箇所において曲面を有していることがさらに好ましい。
【００３２】
その他、カンヌキ（２）の施錠及び解錠する方法については実施例１と同様である。
【００３３】
（実施例３）
図６、図７において、実施例３の裏面カバー（５）を外した背面図、分解斜視図を図示しており、実施例３は、実施例１と同様な部材で構成される。実施例１と相違する主な箇所としては、カンヌキ内周部（２１）と当接する部材として、カンヌキ内周部（２１）の一部を切り欠くのではなく、隆起させて突設部分（４ｅ、４ｆ）が設けられている点である。
【００３４】
カンヌキ内周部（２１）の一部を隆起させた突設部分（４ｅ、４ｆ）は、図６及び図７に示すように、ケーシング内周部（１２）の面よりもカンヌキ（２）側に突き出るように曲面が設けられている。このため、カンヌキ内周部（２１）の摺接による摩擦が軽減され、長期の使用によっても解錠又は施錠がスムーズに行うことができる。また、実施例１と同様に、突設部分（４ｅ、４ｆ）は図６及び図７に示されている２個所に設けられることに限定されるものではなく、１箇所又は２個所よりも多く設けられても良い。
【００３５】
また、突設部分（４ｅ、４ｆ）の形状についても、実施例１と同様にカンヌキ内周部（２１）の摺接による摩擦を低減するために、ケーシング内周部（１２）の面よりもカンヌキ（２）側に突き出る形状が好ましく、摩擦をさらに低減するために、少なくともカンヌキ内周部（２１）と当接する箇所において曲面を有していることがさらに好ましい。
【００３６】
その他、カンヌキ（２）の施錠及び解錠する方法については実施例１と同様である。
【００３７】
（実施例４）
図８、図９において、実施例４の裏面カバー（５）を外した背面図、分解斜視図を図示しており、実施例４は、実施例１と同様な部材で構成される。実施例１と相違する主な箇所としては、カンヌキ内周部（２１）と当接する部材として、ケーシング（１）を自転車に固定させるための取付金具（８ａ）と一体成型された突設部材（４ｇ、４ｈ）が設けられている点である。なお、図９に示すように取付金具（８ａ）と一対で使用される取付金具（８ｂ）には突設部材（４ｇ、４ｈ）が設けられていない。
【００３８】
取付金具（８ａ）に設けられた突設部材（４ｇ、４ｈ）は、図８及び図９に示すように、ケーシング内周部（１２）の面よりもカンヌキ（２）側に突き出るように曲面が設けられている。このため、カンヌキ内周部（２１）の摺接による摩擦が軽減され、長期の使用によっても解錠又は施錠がスムーズに行うことができる。また、実施例１と同様に、突設部材（４ｇ、４ｈ）は図８及び図９に示されている２個所に設けられることに限定されるものではなく、１箇所又は２個所よりも多く設けられても良い。
【００３９】
また、突設部材（４ｇ、４ｈ）の形状についても、実施例１と同様にカンヌキ内周部（２１）の摺接による摩擦を低減するために、ケーシング内周部（１２）の面よりもカンヌキ（２）側に突き出る形状が好ましく、摩擦をさらに低減するために、少なくともカンヌキ内周部（２１）と当接する箇所において曲面を有していることがさらに好ましい。
【００４０】
その他、カンヌキ（２）の施錠及び解錠する方法については実施例１と同様である。
【００４１】
なお、前述した実施例１〜４において、ケーシング内周部（１２）の一部を切り欠いた箇所に嵌合される部材として、突設部材（４ａ〜４ｄ、４ｇ、４ｈ）又はカンヌキ内周部（２１）の一部を隆起させた突設部分（４ｅ、４ｆ）を設けることにより、カンヌキ内周部（２１）の摺接による摩擦を低減した。一方、図示しないが、ケーシング内周部（１２）には何ら加工せず、カンヌキ内周部（２１）に突状部分を設けることにより、又はカンヌキ内周部（２１）より突出するように実施例１のような円柱状部材、球状部材などを設けることにより、カンヌキ内周部（２１）の摺接による摩擦を低減する発明であっても良い。
【符号の説明】
【００４２】
１・・・ケーシング
１１・・開口部
１２・・ケーシング内周部
１３・・ボス部
２・・・カンヌキ
２１・・カンヌキ内周部
２２・・カンヌキ切欠部
２３・・カンヌキレバー
２４・・カンヌキ外周部
３・・・付勢部材
４ａ〜４ｄ、４ｇ、４ｈ・・・突設部材
４ｅ、４ｆ・・・突設部分
５・・・裏面カバー
５１・・ボス部取付孔
６・・・係止片
６１・・係止片突部
７・・・施錠解除機構
８ａ、８ｂ・・・取付金具
９・・・鍵
【図１】
0005811436.tif 000002
【図２】
0005811436.tif 000003
【図３】
0005811436.tif 000004
【図４】
0005811436.tif 000005
【図５】
0005811436.tif 000006
【図６】
0005811436.tif 000007
【図７】
0005811436.tif 000008
【図８】
0005811436.tif 000009
【図９】
0005811436.tif 000010